(57)【要約】【課題】本発明の課題は、簡便な光コネクタの締結・開放作業を実現でき、人為的作業ミスの軽減を図り、光コネクタ接続における作業性の向上と破損確率の低減を図る光コネクタを提供することにある。【解決手段】本発明は、光ファイバに接続され、光ファイバ接続部１３を有する挿入側光コネクタ１１と、挿入側光コネクタ１１が脱出自在に挿入され、挿入側光コネクタ１１の光ファイバ接続部１３と接続される光ファイバ接続部１７を有する受け側光コネクタ１５と、受け側光コネクタ１５内に設けられ、挿入側光コネクタ１１の挿入動作に応じて移動する動作部材１８と、挿入側光コネクタ１１を受け側光コネクタ１５から脱出させるように動作部材１８を移動する操作部材１９とを具備することを特徴とするものである。【選択図】図１
2006292785.tif 000002
【特許請求の範囲】
【請求項１】
光ファイバに接続され、光ファイバ接続部を有する挿入側光コネクタと、
前記挿入側光コネクタが脱出自在に挿入され、挿入側光コネクタの光ファイバ接続部と接続される光ファイバ接続部を有する受け側光コネクタと、
前記受け側光コネクタ内に設けられ、挿入側光コネクタの挿入動作に応じて移動する動作部材と、
前記挿入側光コネクタを受け側光コネクタから脱出させるように動作部材を移動する操作部材と
を具備することを特徴とする光コネクタ。
【請求項２】
操作部材として、押しボタンを用い、押しボタンを押すことにより、支点軸受けを介して動作部材を移動し、挿入側光コネクタを受け側光コネクタから脱出させることを特徴とする請求項１に記載の光コネクタ。
【請求項３】
操作部材として、受け側光コネクタの外側に挿入側光コネクタの挿入方向、脱出方向に移動自在に設けられた操作部材を用い、操作部材と動作部材の間に歯車を設け、操作部材の移動方向と動作部材の移動方向を逆方向になるようにしたことを特徴とする請求項１に記載の光コネクタ。
【請求項４】
受け側光コネクタの外周を覆う形状の操作部材を設け、挿入側光コネクタが挿入される時に操作部材が挿入方向と逆方向にスライドし挿入側光コネクタを覆い包み外部環境から挿入側光コネクタを保護する手段と、
操作部材を挿入側光コネクタを挿入する方向へスライドさせ押し込む力を与えた時、受け側光コネクタ内部の動作部材に力が伝達し動作部材が挿入側光コネクタを押し出す手段と
を具備することを特徴とする請求項３に記載の光コネクタ。
【請求項５】
光信号を伝送する光ファイバを凸型形状の挿入側光コネクタと凹型形状の受け側光コネクタで締結する光コネクタにおいて、
受け側光コネクタの内部に挿入側光コネクタが挿入された状態で挿入側光コネクタのハウジングに接触する位置に動作部材を設け、動作部材は挿入側光コネクタの挿入方向及び脱出方向の水平方向に可動し、挿入側光コネクタが受け側光コネクタに挿入された時に動作部材が挿入方向の水平方向に、光コネクタが締結される位置と、開放される位置の間をスライドする手段と、
受け側光コネクタ外部に動作部材の動きと連動して可動する操作部材を設け、動作部材が光コネクタを締結する位置に移動する時、受け側光コネクタ外部にある操作部材のロック機構を解除する手段と、
受け側光コネクタ外部にある操作部材を押し込んだ時、受け側光コネクタの内部にある動作部材が挿入側光コネクタの脱出方向にスライドし、挿入側光コネクタを押し出し、光コネクタの締結を解除する手段と
を具備することを特徴とする光コネクタ。
【請求項６】
受け側光コネクタの開口部延長方向にケーブル把持具を設け、挿入側光コネクタが受け側光コネクタ内部の動作部材により押し出された際に、光ケーブルを把持して落下を防止することを特徴とする請求項１乃至５のいずれかに記載の光コネクタ。
【発明の詳細な説明】
【技術分野】
【０００１】
本発明は、光ファイバの接続に用いる光コネクタに関するものである。
【背景技術】
【０００２】
従来、光ファイバ接続作業における光コネクタの締結においては、差込側光コネクタのハウジング部を指でつまみ、受け側光コネクタの開放口に押し込み挿入することによって接続し、また開放においては、差込側光コネクタのハウジング部を指でつまみ、受け側光コネクタから引き抜くことによって行う仕組みであった（例えば、特許文献１参照。）。
【特許文献１】特開平９−３２９７２３号公報
【発明の開示】
【発明が解決しようとする課題】
【０００３】
従来の光コネクタの締結・開放は、差込側光コネクタのハウジング部を指でつまんで行われるため、光コネクタ開放時に隣接する光コネクタに誤って触れることによる誤操作や、光コネクタ開放作業において差込側光コネクタ引き抜きに加える力や引き抜き角度によっては作業困難な事象が発生し、またコネクタが密集して配置された場合には作業が困難となる場合がある。
【０００４】
本発明は上記の事情に鑑みてなされたもので、特殊な工具を用いることなく簡便な光コネクタの締結・開放作業を実現でき、人為的作業ミスの軽減を図り、光コネクタ接続における作業性の向上と破損確率の低減を図る光コネクタを提供することを目的とする。
【課題を解決するための手段】
【０００５】
上記目的を達成するために本発明の光コネクタは、光ファイバに接続され、光ファイバ接続部を有する挿入側光コネクタと、前記挿入側光コネクタが脱出自在に挿入され、挿入側光コネクタの光ファイバ接続部と接続される光ファイバ接続部を有する受け側光コネクタと、前記受け側光コネクタ内に設けられ、挿入側光コネクタの挿入動作に応じて移動する動作部材と、前記挿入側光コネクタを受け側光コネクタから脱出させるように動作部材を移動する操作部材とを具備することを特徴とするものである。
【０００６】
また本発明は、前記光コネクタにおいて、操作部材として、押しボタンを用い、押しボタンを押すことにより、支点軸受けを介して動作部材を移動し、挿入側光コネクタを受け側光コネクタから脱出させることを特徴とするものである。
【０００７】
また本発明は、前記光コネクタにおいて、操作部材として、受け側光コネクタの外側に挿入側光コネクタの挿入方向、脱出方向に移動自在に設けられた操作部材を用い、操作部材と動作部材の間に歯車を設け、操作部材の移動方向と動作部材の移動方向を逆方向になるようにしたことを特徴とするものである。
【０００８】
また本発明は、前記光コネクタにおいて、受け側光コネクタの外周を覆う形状の操作部材を設け、挿入側光コネクタが挿入される時に操作部材が挿入方向と逆方向にスライドし挿入側光コネクタを覆い包み外部環境から挿入側光コネクタを保護する手段と、操作部材を挿入側光コネクタを挿入する方向へスライドさせ押し込む力を与えた時、受け側光コネクタ内部の動作部材に力が伝達し動作部材が挿入側光コネクタを押し出す手段とを具備することを特徴とするものである。
【０００９】
また本発明は、光信号を伝送する光ファイバを凸型形状の挿入側光コネクタと凹型形状の受け側光コネクタで締結する光コネクタにおいて、受け側光コネクタの内部に挿入側光コネクタが挿入された状態で挿入側光コネクタのハウジングに接触する位置に動作部材を設け、動作部材は挿入側光コネクタの挿入方向及び脱出方向の水平方向に可動し、挿入側光コネクタが受け側光コネクタに挿入された時に動作部材が挿入方向の水平方向に、光コネクタが締結される位置と、開放される位置の間をスライドする手段と、受け側光コネクタ外部に動作部材の動きと連動して可動する操作部材を設け、動作部材が光コネクタを締結する位置に移動する時、受け側光コネクタ外部にある操作部材のロック機構を解除する手段と、受け側光コネクタ外部にある操作部材を押し込んだ時、受け側光コネクタの内部にある動作部材が挿入側光コネクタの脱出方向にスライドし、挿入側光コネクタを押し出し、光コネクタの締結を解除する手段とを具備することを特徴とするものである。
【００１０】
また本発明は、前記光コネクタにおいて、受け側光コネクタの開口部延長方向にケーブル把持具を設け、挿入側光コネクタが受け側光コネクタ内部の動作部材により押し出された際に、光ケーブルを把持して落下を防止することを特徴とするものである。
【発明の効果】
【００１１】
本発明の光コネクタは、挿入側光コネクタと受け側光コネクタを分離する際に外部の操作部材を操作することによって、双方の分離ができるため光コネクタに余分な加重が発生せず、作業者による動作の違いがなく簡便な操作と故障発生確率の軽減が期待される。
【００１２】
また、外部の操作部材は光コネクタを保護する働きをもたせることができるため不慮の接触による故障防止が期待される。
【発明を実施するための最良の形態】
【００１３】
以下図面を参照して本発明の実施の形態例を詳細に説明する。
図１は本発明の実施形態例１に係る光コネクタを示す構成説明図である。挿入側光コネクタ１１の後部には光ケーブル１２が接続され、光ケーブル１２には光ファイバが内蔵される。前記光ケーブル１２内の光ファイバの先端部は例えばフェルール等の光ファイバ接続部１３に内蔵され、挿入側光コネクタ１１のハウジング１４より突出して設けられる。受け側光コネクタ１５のハウジング１６は挿入側光コネクタ１１が脱出自在に挿入されるように構成され、前記ハウジング１６内には挿入側光コネクタ１１の光ファイバ接続部１３と接続される光ファイバ接続部１７が設けられる。前記ハウジング１６内には、挿入側光コネクタ１１の挿入動作に応じて矢印ｘ方向に移動する動作部材１８が設けられ、前記動作部材１８には、挿入側光コネクタ１１を受け側光コネクタ１８から脱出させるように動作部材１８を矢印ｙ方向に移動する操作部材１９が作用伝達部材２０を介在して設けられる。
【００１４】
前記動作部材１８は受け側光コネクタ１５のハウジング１６の内部にあってハウジング１６の中心軸に対して平行に移動する。前記動作部材１８を備えることによって光コネクタの締結及び開放動作を補助する。光コネクタが締結するときは、挿入側光コネクタ１１のハウジング１４に押されることによって動作部材１８がｘ方向に移動する。光コネクタを開放するときは、外部の操作部材１９を動作させた力が作用伝達部材２０を介して動作部材１８を押し出し、動作部材１８はｙ方向に移動する。ｙ方向に移動する動作部材１８に挿入側光コネクタ１１のハウジング１４は押し出され光コネクタが開放される。
【００１５】
図２（ａ），（ｂ）は本発明の実施形態例２に係る光コネクタを示す縦断面図、図３（ａ）は同じく横断面図、図３（ｂ）は同じく斜視図である。
光信号を伝送する光ファイバを凸型形状の挿入側光コネクタ２１と凹型形状の受け側光コネクタ２２で締結する光コネクタにおいて、受け側光コネクタ２２の内部に挿入側光コネクタ２１が挿入された状態で挿入側光コネクタ２１のハウジング２３に接触する位置に動作部材２４を設け、動作部材２４は挿入側光コネクタ２１の挿入方向及び脱出方向の水平方向に可動し、挿入側光コネクタ２１が受け側光コネクタ２２に挿入された時に動作部材２４が挿入方向の水平方向に、光コネクタが締結される位置と、開放される位置の間をスライドする。受け側光コネクタ２２の外部には歯車２６により動作部材２４の動きと連動して可動する操作部材２５が設けられ、動作部材２４が挿入側光コネクタ２１を締結する位置に移動する時、受け側光コネクタ２２の外部にある操作部材２５のロック機構を解除する。受け側光コネクタ２２の外部にある操作部材２５を矢印ｘ方向に押し込んだ時、受け側光コネクタ２２の内部にある動作部材２４が挿入側光コネクタ２１の脱出方向である矢印ｙ方向にスライドし、挿入側光コネクタ２１を押し出し、光コネクタの締結を解除して開放する。
【００１６】
すなわち、挿入側光コネクタ２１を指でつまみｘ方向に向かって受け側光コネクタ２２に挿入する。この時、挿入側光コネクタ２１のハウジング部２３が受け側光コネクタ２２の動作部材２４に接触し、挿入側光コネクタ２１が押し込まれる力によって動作部材２４もｘ方向に固定点ｃから固定点ｄへ移動する。動作部材２４がｘ方向に移動する力が歯車２６に伝達し操作部材２５がｙ方向に固定点ｂから固定点ａに移動する。挿入側光コネクタ２１が完全に押し込まれ、双方の光コネクタが締結したとき、動作部材２４と操作部材２５は移動を停止し、操作部材２５は挿入側光コネクタ２１を覆う位置の固定点ａで停止する。受け側光コネクタ２２の外周を覆う形状の操作部材２５は、挿入側光コネクタ２１が挿入される時に挿入側光コネクタ２１の挿入方向と逆方向にスライドし挿入側光コネクタ２１を覆い包み外部環境から挿入側光コネクタ２１を保護する。
【００１７】
双方の光コネクタを分離するとき、操作部材２５を指でつまみｘ方向に固定点ａから固定点ｂにスライドさせる。操作部材２５が移動した力が歯車２６に伝達され動作部材２４がｙ方向に固定点ｄから固定点ｃに移動する。動作部材２４がｙ方向に移動する力で挿入側光コネクタ２１のハウジング部２３がｙ方向に押し出され、双方の光コネクタが開放される。
【００１８】
図４は本発明の実施形態例３に係る光コネクタを示す縦断面図、図５（ａ）は同じく横断面図、図５（ｂ）は同じく斜視図である。
光信号を伝送する光ファイバを凸型形状の挿入側光コネクタ３１と凹型形状の受け側光コネクタ３２で締結する光コネクタにおいて、受け側光コネクタ３２の内部に挿入側光コネクタ３１が挿入された状態で挿入側光コネクタ３１のハウジング３３に接触する位置に動作部材３４を設け、動作部材３４は挿入側光コネクタ３１の挿入方向及び脱出方向の水平方向に可動し、挿入側光コネクタ３１が受け側光コネクタ３２に挿入された時に動作部材３４が挿入方向の水平方向に、光コネクタが締結される位置と、開放される位置の間をスライドする。受け側光コネクタ３２の外部にはばね機構３６及び支点軸受け３７を介在し動作部材３４の動きと連動して可動する操作部材例えば押しボタン３５が設けられ、動作部材３４が挿入側光コネクタ３１を締結する位置に移動する時、受け側光コネクタ３２の外部にある押しボタン３５のロック機構を解除する。受け側光コネクタ３２の外部にある押しボタン３５を矢印ｘ方向に押し込んだ時、支点軸受け３７が反時計方向に回転し、受け側光コネクタ３２の内部にある動作部材３４が挿入側光コネクタ３１の脱出方向である矢印ｙ方向にスライドし、挿入側光コネクタ３１を押し出し、光コネクタの締結を解除して開放する。受け側光コネクタ３２の開口部延長方向にはケーブル把持具３８が設けられ、挿入側光コネクタ３１が受け側光コネクタ３２内部の動作部材３４により押し出された際に、光ケーブルを把持して落下を防止する。
【００１９】
すなわち、挿入側光コネクタ３１の付け根をケーブル把持具３８に引っ掛け、挿入側光コネクタ３１のハウジング３３を指でつまみｘ方向に向かって受け側光コネクタ３２に挿入する。この時、挿入側光コネクタ３１のハウジング３３が受け側光コネクタ３２の動作部材３４に接触し、挿入側光コネクタ３１が押し込まれる力によって動作部材３４が固定点ａから開放されｘ方向に固定点ｂまで移動する。動作部材３４がｘ方向へ移動することによって、その力がばね機構３６と支点軸受け３７を伝達し、押しボタン３５をリセット状態にする。
【００２０】
双方の光コネクタを分離しようとするとき、押しボタン３５を指で押し込む。押しボタン３５の作用によりばね機構３６と支点軸受け３７が動作し動作部材３４をｙ方向に押し出す。その力によって動作部材３４は固定点ｂから固定点ａに移動する。動作部材３４がｙ方向に移動する力は挿入側光コネクタ３１のハウジング３３をｙ方向に押し出し、双方の光コネクタは開放される。光コネクタが開放された後の挿入側光コネクタ３１はケーブル把持具３８によって把持される。
【００２１】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２２】
【図１】本発明の実施形態例１に係る光コネクタを示す構成説明図である。
【図２】本発明の実施形態例２に係る光コネクタを示す縦断面図である。
【図３】本発明の実施形態例２に係る光コネクタを示し、（ａ）は横断面図、（ｂ）は斜視図である。
【図４】本発明の実施形態例３に係る光コネクタを示す縦断面図である。
【図５】本発明の実施形態例３に係る光コネクタを示し、（ａ）は横断面図、（ｂ）は斜視図である。
【符号の説明】
【００２３】
１１…挿入側光コネクタ、１２…光ケーブル、１３…光ファイバ接続部、１４…ハウジング、１５…受け側光コネクタ、１６…ハウジング、１７…光ファイバ接続部、１８…動作部材、１９…操作部材、２０…作用伝達部材。
【図１】
2006292785.tif 000003
【図２】
2006292785.tif 000004
【図３】
2006292785.tif 000005
【図４】
2006292785.tif 000006
【図５】
2006292785.tif 000007